(57)【特許請求の範囲】
【請求項１】
マクロ基地局からターゲットフェムトアクセスポイント（ＡＰ）へアクセス端末（ＡＴ）をハンドオフするためにフェムトコンバージェンスサーバ（ＦＣＳ）で実行されるための方法であって、
マクロ基地局と動作可能に通信するインターネットプロトコルマルチメディアサブシステム（ＩＭＳ）エンティティからハンドオフメッセージを受信すること、前記ハンドオフメッセージがフェムト構成情報を備える、と、
前記フェムト構成情報に少なくとも部分的に基づいて複数のフェムトＡＰから前記ターゲットフェムトＡＰを選択すること、前記フェムト構成情報が、前記選択されたターゲットフェムトＡＰの少なくとも１つのグローバル識別子と、前記ターゲットフェムトＡＰのための擬似雑音（ＰＮ）オフセットとを備える、と、
を備える方法。
【請求項２】
受信することが、ファシリティディレクティブメッセージを受信することを備える、請求項１に記載の方法。
【請求項３】
前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断することをさらに備える、請求項１に記載の方法。
【請求項４】
ＳＩＰメッセージを前記ターゲットフェムトＡＰに送信するために前記ＳＩＰ ＵＲＩを使用することをさらに備える、請求項３に記載の方法。
【請求項５】
前記ターゲットフェムトＡＰからＳＩＰメッセージ肯定応答を受信したことに応答して、前記ターゲットフェムトＡＰのためのバックホールベアラを確立することをさらに備える、請求項４に記載の方法。
【請求項６】
ハンドオフメッセージ応答を前記ＩＭＳエンティティに送信し、それによって前記ターゲットフェムトＡＰへの前記ＡＴのハンドオフが行われることをさらに備える、請求項５に記載の方法。
【請求項７】
受信することがサービングモバイル交換センター（ＭＳＣ）から前記ハンドオフメッセージを受信することを備え、
送信することが、前記ハンドオフメッセージ応答を前記サービングＭＳＣに送信することを備える、
請求項６に記載の方法。
【請求項８】
確立することが、前記ターゲットフェムトＡＰとメディアゲートウェイ（ＭＧＷ）との間の前記バックホールベアラを確立することを備える、請求項６に記載の方法。
【請求項９】
前記ＳＩＰ ＵＲＩを使用することが、少なくとも１つの中間エンティティを介して前記ＳＩＰメッセージを前記ターゲットフェムトＡＰに送信することを備える、請求項６に記載の方法。
【請求項１０】
前記ＳＩＰメッセージを送信することが、呼セッション制御機能（ＣＳＣＦ）を介して前記ＳＩＰメッセージを前記ターゲットフェムトＡＰに送信することを備える、請求項９に記載の方法。
【請求項１１】
前記ＳＩＰメッセージがハンドオフ要求を備える、請求項６に記載の方法。
【請求項１２】
前記ＳＩＰメッセージ肯定応答を受信することが、ハンドオフ要求肯定応答を受信することを備える、請求項１１に記載の方法。
【請求項１３】
前記ＳＩＰメッセージ肯定応答を受信することが前記ターゲットフェムトＡＰのセッション記述プロトコル（ＳＤＰ）情報を受信することを備える、請求項６に記載の方法。
【請求項１４】
前記フェムト構成情報がソースマクロセル識別子を備える、請求項１に記載の方法。
【請求項１５】
前記ターゲットフェムトＡＰの前記グローバル識別子が、ＭＳＣ識別子およびセル識別子のうちの少なくとも１つを備える、請求項１に記載の方法。
【請求項１６】
インターネットプロトコルマルチメディアサブシステム（ＩＭＳ）および前記フェムトコンバージェンスサーバ（ＦＣＳ）のうちの少なくとも１つへの前記複数のフェムトＡＰの各々のプロビジョニング登録をさらに備える、請求項１に記載の方法。
【請求項１７】
マクロ基地局からターゲットフェムトアクセスポイント（ＡＰ）へアクセス端末（ＡＴ）をハンドオフするためにフェムトコンバージェンスサーバ（ＦＣＳ）で実行されるための方法であって、
前記マクロ基地局と動作可能に通信するサービングモバイル交換センター（ＭＳＣ）からファシリティディレクティブメッセージを受信すること、前記ファシリティディレクティブメッセージがフェムト構成情報を備える、と、
前記フェムト構成情報に少なくとも部分的に基づいて複数のフェムトＡＰから前記ターゲットフェムトＡＰを選択すること、前記フェムト構成情報が、前記選択されたターゲットフェムトＡＰの少なくとも１つのグローバル識別子と、前記ターゲットフェムトＡＰのための擬似雑音（ＰＮ）オフセットとを備える、と、
を備える方法。
【請求項１８】
前記ターゲットフェムトＡＰの前記グローバル識別子が、ＭＳＣ識別子およびセル識別子のうちの少なくとも１つを備える、請求項１７に記載の方法。
【請求項１９】
前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断することをさらに備える、請求項１７に記載の方法。
【請求項２０】
呼セッション制御機能（ＣＳＣＦ）を介してハンドオフ要求を前記ターゲットフェムトＡＰに送信するために前記ＳＩＰ ＵＲＩを使用することをさらに備える、請求項１９に記載の方法。
【請求項２１】
前記ターゲットフェムトＡＰからハンドオフ要求肯定応答を受信したことに応答して、前記ターゲットフェムトＡＰとメディアゲートウェイ（ＭＧＷ）との間のバックホールベアラを確立することをさらに備える、請求項２０に記載の方法。
【請求項２２】
ハンドオフメッセージ応答を前記ＩＭＳエンティティに送信し、それによって前記ターゲットフェムトＡＰへの前記ＡＴのハンドオフが行われることをさらに備える、請求項２１に記載の方法。
【請求項２３】
マクロ基地局からターゲットフェムトアクセスポイント（ＡＰ）へのアクセス端末（ＡＴ）のハンドオフを可能にするための通信デバイスであって、
前記マクロ基地局と動作可能に通信するインターネットプロトコルマルチメディアサブシステム（ＩＭＳ）エンティティからハンドオフメッセージを受信するためのトランシーバモジュール、前記ハンドオフメッセージがフェムト構成情報を備える、と、
前記トランシーバモジュールと動作可能に結合される少なくとも１つのプロセッサと、
前記少なくとも１つのプロセッサと動作可能に結合されたメモリモジュールと、
を備え、
前記メモリモジュールは、
前記フェムト構成情報に少なくとも部分的に基づいて複数のフェムトＡＰから前記ターゲットフェムトＡＰを選択すること、前記フェムト構成情報が、前記選択されたフェムトＡＰの少なくとも１つのグローバル識別子と、前記ターゲットフェムトＡＰのための擬似雑音（ＰＮ）オフセットとを備える、と、
を前記少なくとも１つのプロセッサに行わせるための実行コードを備える、
通信デバイス。
【請求項２４】
前記ハンドオフメッセージがファシリティディレクティブメッセージを備える、請求項２３に記載のデバイス。
【請求項２５】
前記少なくとも１つのプロセッサが、前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断する、請求項２３に記載のデバイス。
【請求項２６】
前記少なくとも１つのプロセッサが、ＳＩＰメッセージを前記ターゲットフェムトＡＰに送信するために前記ＳＩＰ ＵＲＩを使用する、請求項２５に記載のデバイス。
【請求項２７】
前記少なくとも１つのプロセッサが、前記ターゲットフェムトＡＰからＳＩＰメッセージ肯定応答を受信したことに応答して、前記ターゲットフェムトＡＰのためのバックホールベアラを確立する、請求項２６に記載のデバイス。
【請求項２８】
前記少なくとも１つのプロセッサが、前記トランシーバモジュールによってハンドオフメッセージ応答を前記ＩＭＳエンティティに送信し、それによって前記ターゲットフェムトＡＰへの前記ＡＴの前記ハンドオフが行われる、請求項２７に記載のデバイス。
【請求項２９】
前記少なくとも１つのプロセッサが、前記ターゲットフェムトＡＰとメディアゲートウェイ（ＭＧＷ）との間の前記バックホールベアラを確立する、請求項２８に記載のデバイス。
【請求項３０】
前記少なくとも１つのプロセッサが、少なくとも１つの中間エンティティを介して前記ＳＩＰメッセージを前記ターゲットフェムトＡＰに送信する、請求項２８に記載のデバイス。
【請求項３１】
前記少なくとも１つの中間エンティティが呼セッション制御機能（ＣＳＣＦ）を備える、請求項３０に記載のデバイス。
【請求項３２】
前記ＳＩＰメッセージがハンドオフ要求を備え、
前記ＳＩＰメッセージ肯定応答がハンドオフ要求肯定応答を備える、
請求項２８に記載のデバイス。
【請求項３３】
前記ＳＩＰメッセージ肯定応答が前記ターゲットフェムトＡＰのセッション記述プロトコル（ＳＤＰ）情報を備える、請求項２８に記載のデバイス。
【請求項３４】
前記ＩＭＳエンティティが、前記ハンドオフメッセージ応答を受信したことに応答してハンドオフコマンドを前記マクロ基地局に送信し、前記マクロ基地局がハンドオフ指示メッセージを前記ＡＴに送信する、請求項２８に記載のデバイス。
【請求項３５】
前記ＩＭＳエンティティがサービングモバイル交換センター（ＭＳＣ）を備える、請求項２３に記載のデバイス。
【請求項３６】
前記フェムト構成情報がソースマクロセル識別子を備える、請求項２３に記載のデバイス。
【請求項３７】
前記ターゲットフェムトＡＰの前記グローバル識別子が、ＭＳＣ識別子およびセル識別子のうちの少なくとも１つを備える、請求項２３に記載のデバイス。
【請求項３８】
前記複数のフェムトＡＰの各々が、インターネットプロトコルマルチメディアサブシステム（ＩＭＳ）およびフェムトコンバージェンスサーバ（ＦＣＳ）のうちの少なくとも１つに登録される、請求項２３に記載のデバイス。
【請求項３９】
マクロ基地局からターゲットフェムトアクセスポイント（ＡＰ）へのアクセス端末（ＡＴ）のハンドオフを可能にするための通信デバイスであって、
前記マクロ基地局と動作可能に通信するサービングモバイル交換センター（ＭＳＣ）からファシリティディレクティブメッセージを受信するためのトランシーバモジュール、前記ファシリティディレクティブメッセージがフェムト構成情報を備える、と、
前記トランシーバモジュールと動作可能に結合される少なくとも１つのプロセッサと、
前記少なくとも１つのプロセッサと動作可能に結合され、
前記フェムト構成情報に少なくとも部分的に基づいて複数のフェムトＡＰから前記ターゲットフェムトＡＰを選択することを前記少なくとも１つのプロセッサに行わせるための実行コードを備えたメモリモジュール、前記フェムト構成情報が、前記選択されたターゲットフェムトＡＰの少なくとも１つのグローバル識別子と、前記ターゲットフェムトＡＰのための擬似雑音（ＰＮ）オフセットとを備える、と、
を備える、通信デバイス。
【請求項４０】
前記ターゲットフェムトＡＰの前記グローバル識別子が、ＭＳＣ識別子およびセル識別子のうちの少なくとも１つを備える、請求項３９に記載のデバイス。
【請求項４１】
前記少なくとも１つのプロセッサが、前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断する、請求項３９に記載のデバイス。
【請求項４２】
前記少なくとも１つのプロセッサが呼セッション制御機能（ＣＳＣＦ）を介してハンドオフ要求を前記ターゲットフェムトＡＰに送信するために前記ＳＩＰ ＵＲＩを使用する、請求項４１に記載のデバイス。
【請求項４３】
前記少なくとも１つのプロセッサが、前記ターゲットフェムトＡＰからハンドオフ要求肯定応答を受信したことに応答して、前記ターゲットフェムトＡＰとメディアゲートウェイ（ＭＧＷ）との間のバックホールベアラを確立する、請求項４２に記載のデバイス。
【請求項４４】
前記少なくとも１つのプロセッサが、ハンドオフメッセージ応答を前記ＩＭＳエンティティに送信し、それによって前記ターゲットフェムトＡＰへの前記ＡＴのハンドオフが行われる、請求項４３に記載のデバイス。
【請求項４５】
マクロ基地局からターゲットフェムトアクセスポイント（ＡＰ）へアクセス端末（ＡＴ）をハンドオフするための装置であって、
フェムトＡＰにグローバル識別子を割り当てるための手段と、
前記フェムトＡＰのセッション開始プロトコル（ＳＩＰ）ユニフォームリソース識別子（ＵＲＩ）を前記グローバル識別子に関連付けるための手段と、
前記マクロ基地局と動作可能に通信するインターネットプロトコルマルチメディアサブシステム（ＩＭＳ）エンティティからハンドオフメッセージを受信するための手段、前記ハンドオフメッセージがフェムト構成情報を備える、と、
前記フェムト構成情報に少なくとも部分的に基づいて複数のフェムトＡＰから前記ターゲットフェムトＡＰを選択するための手段、前記フェムト構成情報が、前記選択されたターゲットフェムトＡＰの少なくとも１つのグローバル識別子と、前記ターゲットフェムトＡＰのための擬似雑音（ＰＮ）オフセットとを備える、と、
を備える装置。
【請求項４６】
前記ハンドオフメッセージがファシリティディレクティブメッセージを備える、請求項４５に記載の装置。
【請求項４７】
前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断するための手段をさらに備える、請求項４５に記載の装置。
【請求項４８】
ＳＩＰメッセージを前記ターゲットフェムトＡＰに送信するために前記ＳＩＰ ＵＲＩを使用するための手段をさらに備える、請求項４７に記載の装置。
【請求項４９】
前記ターゲットフェムトＡＰからＳＩＰメッセージ肯定応答を受信したことに応答して、前記ターゲットフェムトＡＰのためのバックホールベアラを確立するための手段をさらに備える、請求項４８に記載の装置。
【請求項５０】
ハンドオフメッセージ応答を前記ＩＭＳエンティティに送信し、それによって前記フェムトＡＰへの前記ＡＴのハンドオフが行われるための手段をさらに備える、請求項４５に記載の装置。
【請求項５１】
前記ＳＩＰ ＵＲＩを使用するための前記手段が、少なくとも１つの中間エンティティを介して前記ＳＩＰメッセージを前記ターゲットフェムトＡＰに送信するための手段を備える、請求項５０に記載の装置。
【請求項５２】
前記少なくとも１つの中間エンティティが呼セッション制御機能（ＣＳＣＦ）を備える、請求項５１に記載の装置。
【請求項５３】
前記ＳＩＰメッセージがハンドオフ要求を備え、
前記ＳＩＰメッセージ肯定応答がハンドオフ要求肯定応答を備える、
請求項５０に記載の装置。
【請求項５４】
前記ＳＩＰメッセージ肯定応答が前記ターゲットフェムトＡＰのセッション記述プロトコル（ＳＤＰ）情報を備える、請求項５０に記載の装置。
【請求項５５】
前記ＩＭＳエンティティが、前記ハンドオフメッセージ応答を受信したことに応答してハンドオフコマンドを前記マクロ基地局に送信し、前記マクロ基地局がハンドオフ指示メッセージを前記ＡＴに送信する、請求項５０に記載の装置。
【請求項５６】
前記ＩＭＳエンティティがサービングモバイル交換センター（ＭＳＣ）を備える、請求項４５に記載の装置。
【請求項５７】
前記フェムト構成情報がソースマクロセル識別子を備える、請求項４５に記載の装置。
【請求項５８】
前記ターゲットフェムトＡＰの前記少なくとも１つのグローバル識別子が、ＭＳＣ識別子およびセル識別子のうちの少なくとも１つを備える、請求項４５に記載の装置。
【請求項５９】
前記複数のフェムトＡＰの各々が、インターネットプロトコルマルチメディアサブシステム（ＩＭＳ）およびフェムトコンバージェンスサーバ（ＦＣＳ）のうちの少なくとも１つに登録される、請求項４５に記載の装置。
【請求項６０】
マクロ基地局からターゲットフェムトアクセスポイント（ＡＰ）へアクセス端末（ＡＴ）をハンドオフするための装置であって、
前記マクロ基地局と動作可能に通信するサービングモバイル交換センター（ＭＳＣ）からファシリティディレクティブメッセージを受信するための手段、前記ファシリティディレクティブメッセージがフェムト構成情報を備える、と、
前記フェムト構成情報に少なくとも部分的に基づいて複数のターゲットフェムトＡＰから前記ターゲットフェムトＡＰを選択するための手段、前記フェムト構成情報が、前記選択されたターゲットフェムトＡＰの少なくとも１つのグローバル識別子と、前記ターゲットフェムトＡＰのための擬似雑音（ＰＮ）オフセットとを備える、と、
を備える装置。
【請求項６１】
前記ターゲットフェムトＡＰの前記グローバル識別子が、ＭＳＣ識別子およびセル識別子のうちの少なくとも１つを備える、請求項６０に記載の装置。
【請求項６２】
前記少なくとも１つのプロセッサが、前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断する、請求項６０に記載の装置。
【請求項６３】
前記ＳＩＰ ＵＲＩを使用して、呼セッション制御機能（ＣＳＣＦ）を介してハンドオフ要求を前記ターゲットフェムトＡＰに送信するための手段を更に備える、請求項６２に記載の装置。
【請求項６４】
前記ターゲットフェムトＡＰからハンドオフ要求肯定応答を受信したことに応答して、前記ターゲットフェムトＡＰとメディアゲートウェイ（ＭＧＷ）との間のバックホールベアラを確立するための手段を更に備える、請求項６３に記載の装置。
【請求項６５】
ハンドオフメッセージ応答を前記ＩＭＳエンティティに送信するための手段を更に備え、それによって前記ターゲットフェムトＡＰへの前記ＡＴのハンドオフが行われる、請求項６４に記載の装置。
【請求項６６】
マクロ基地局と動作可能に通信するインターネットプロトコルマルチメディアサブシステム（ＩＭＳ）エンティティからハンドオフメッセージを受信することをコンピュータに行わせるためのコード、前記ハンドオフメッセージは、前記マクロ基地局からターゲットフェムトアクセスポイント（ＡＰ）へのアクセス端末（ＡＴ）のハンドオフのためのものであり、前記ハンドオフメッセージはフェムト構成情報を備える、と、
前記フェムト構成情報に少なくとも部分的に基づいて複数のフェムトＡＰから前記ターゲットフェムトＡＰを選択することをコンピュータに行わせるためのコード、前記フェムト構成情報は、前記選択されたターゲットフェムトＡＰの少なくとも１つのグローバル識別子と、前記ターゲットフェムトＡＰのための擬似雑音（ＰＮ）オフセットとを備える、と、
を備えるコンピュータプログラム。
【請求項６７】
前記ハンドオフメッセージがファシリティディレクティブメッセージを備える、請求項６６に記載のコンピュータプログラム。
【請求項６８】
コンピュータに、前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断させるためのコードをさらに備える、請求項６６に記載のコンピュータプログラム。
【請求項６９】
コンピュータに、ＳＩＰメッセージを前記ターゲットフェムトＡＰに送信するために前記ＳＩＰ ＵＲＩを使用させるためのコードをさらに備える、請求項６８に記載のコンピュータプログラム。
【請求項７０】
コンピュータに、前記ターゲットフェムトＡＰからＳＩＰメッセージ肯定応答を受信したことに応答して、前記ターゲットフェムトＡＰのためのバックホールベアラを確立させるためのコードをさらに備える、請求項６９に記載のコンピュータプログラム。
【請求項７１】
コンピュータに、ハンドオフメッセージ応答を前記ＩＭＳエンティティに送信させ、それによって前記ターゲットフェムトＡＰへの前記ＡＴの前記ハンドオフが行われるためのコードをさらに備える、請求項７０に記載のコンピュータプログラム。
【請求項７２】
前記ＩＭＳエンティティがサービングモバイル交換センター（ＭＳＣ）を備える、請求項６６に記載のコンピュータプログラム。
【請求項７３】
前記フェムト構成情報がソースマクロセル識別子を備える、請求項６６に記載のコンピュータプログラム。
【請求項７４】
前記ターゲットフェムトＡＰの前記グローバル識別子が、ＭＳＣ識別子およびセル識別子のうちの少なくとも１つを備える、請求項６６に記載のコンピュータプログラム。
【請求項７５】
マクロ基地局と動作可能に通信するサービングモバイル交換センター（ＭＳＣ）からファシリティディレクティブメッセージを受信することをコンピュータに行わせるためのコード、前記ハンドオフメッセージは、前記マクロ基地局からターゲットフェムトアクセスポイント（ＡＰ）へのアクセス端末（ＡＴ）のハンドオフのためのものであり、前記ファシリティディレクティブメッセージは、フェムト構成情報を備える、と、
前記フェムト構成情報に少なくとも部分的に基づいて複数のフェムトＡＰから前記ターゲットフェムトＡＰを選択することをコンピュータに行わせるためのコード、前記フェムト構成情報は、前記選択されたターゲットフェムトＡＰの少なくとも１つのグローバル識別子と、前記ターゲットフェムトＡＰのための擬似雑音（ＰＮ）オフセットとを備える、と、
を備えるコンピュータプログラム。
【請求項７６】
前記ターゲットフェムトＡＰの前記グローバル識別子が、ＭＳＣ識別子およびセル識別子のうちの少なくとも１つを備える、請求項７５に記載のコンピュータプログラム。
【請求項７７】
コンピュータに、前記少なくとも１つのグローバル識別子に少なくとも部分的に基づいて前記ターゲットフェムトＡＰのセッション開始プロトコル（ＳＩＰ）ユニフォームリソース識別子（ＵＲＩ）を判断させるためのコードをさらに備える、請求項７５に記載のコンピュータプログラム。
【請求項７８】
コンピュータに、呼セッション制御機能（ＣＳＣＦ）を介してハンドオフ要求を前記ターゲットフェムトＡＰに送信するために前記ＳＩＰ ＵＲＩを使用させるためのコードをさらに備える、請求項７７に記載のコンピュータプログラム。
【請求項７９】
コンピュータに、前記ターゲットフェムトＡＰからハンドオフ要求肯定応答を受信したことに応答して、前記ターゲットフェムトＡＰとメディアゲートウェイ（ＭＧＷ）との間のバックホールベアラを確立させるためのコードをさらに備える、請求項７８に記載のコンピュータプログラム。
【請求項８０】
コンピュータに、ハンドオフメッセージ応答を前記ＩＭＳエンティティに送信させ、それによって前記ターゲットフェムトＡＰへの前記ＡＴのハンドオフが行われるためのコードをさらに備える、請求項７９に記載のコンピュータプログラム。
【請求項８１】
前記ターゲットフェムトＡＰの前記少なくとも１つのグローバル識別子は、ＭＳＣ識別子、セル識別子、機械可読アドレス、テキストストリング、地理ロケーションデータのうちの少なくとも２つを備える、請求項１に記載の方法。
【請求項８２】
前記ターゲットフェムトＡＰの前記少なくとも１つのグローバル識別子は、ＭＳＣ識別子、セル識別子、機械可読アドレス、テキストストリング、地理ロケーションデータのうちの少なくとも２つを備える、請求項１７に記載の方法。
【請求項８３】
前記ターゲットフェムトＡＰにグローバル識別子を割り当てることと、
前記グローバル識別子に、セッション開始プロトコル（ＳＩＰ）ユニフォームリソース識別子（ＵＲＩ）を関連付けることと、
前記ＳＩＰ ＵＲＩと前記グローバル識別子との関連付けに基づいて、前記ターゲットフェムトＡＰに割り当てられた前記グローバル識別子から前記ターゲットフェムトＡＰのＳＩＰ ＵＲＩを導出することと、
をさらに備える、請求項１に記載の方法。
【請求項８４】
前記ターゲットフェムトＡＰにグローバル識別子を割り当てることと、
前記グローバル識別子に、セッション開始プロトコル（ＳＩＰ）ユニフォームリソース識別子（ＵＲＩ）を関連付けることと、
前記ＳＩＰ ＵＲＩと前記グローバル識別子との関連付けに基づいて、前記ターゲットフェムトＡＰに割り当てられた前記グローバル識別子から前記ターゲットフェムトＡＰのＳＩＰ ＵＲＩを導出することと、
をさらに備える、請求項１に記載の方法。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００８年８月２２日に出願された「SYSTEM AND METHOD TO IDENTIFY AND CONTACT A FEMTO ACCESS POINT DURING 1X CDMA2000 HANDOFF FROM A MACRO ACCESS NETWORK TO THE FEMTO ACCESS POINT」と題する仮出願第６１／０９１，３１８号の優先権を主張する。
【０００２】
本出願は、一般にワイヤレス通信に関し、より詳細には、アクセス端末をフェムトアクセスポイントにハンドオフするための方法およびシステムに関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、多入力単出力または多入力多出力（ＭＩＭＯ）システムを介して確立できる。
【０００５】
ユーザの家に設置され、既存のブロードバンドインターネット接続を使用してモバイルユニットに屋内ワイヤレスカバレージを与えることができる新しいクラスの小さい基地局が出現した。そのような基地局は、アクセスポイント（ＡＰ）基地局として一般に知られているが、ホームノードＢ（ＨＮＢ）ユニット、ホーム進化型ノードＢユニット（ＨｅＮＢ）、フェムトセル、フェムト基地局（ｆＢＳ）、基地局、または基地局トランシーバシステムと呼ばれることもある。一般に、ＡＰ基地局は、デジタル加入者回線（ＤＳＬ）、ケーブルインターネットアクセス、Ｔ１／Ｔ３などを介してインターネットおよびモバイルオペレータのネットワークに接続され、送受信基地局（ＢＴＳ）技術、無線ネットワークコントローラ、およびゲートウェイサポートノードサービスなど典型的な基地局機能を提供する。これにより、セルラー／モバイルデバイスまたはハンドセット、あるいはユーザ機器（ＵＥ）と呼ばれることもあるアクセス端末（ＡＴ）はＡＰ基地局に接続し、ワイヤレスサービスを利用することが可能になる。ＡＴは、たとえば、セルラー電話、スマートフォン、ラップトップ、ハンドヘルド通信デバイス、ハンドヘルドコンピューティングデバイス、衛星ラジオ、ナビゲーションデバイス、携帯情報端末（ＰＤＡ）、またはワイヤレス通信システムを介して通信するための任意の他の好適なデバイスを含むことができる。
【０００６】
マクロ基地局とフェムト基地局との両方を含む異種ワイヤレスアクセス環境では、ＡＴが、シームレスな方法でマクロ基地局からフェムト基地局にハンドオフされることが必須である。しかしながら、所与のエリアにおいてフェムトＡＰ基地局が大量に展開されているとき、スケーラビリティの問題が生じる。さらに、ＡＴがアクティブモードにあるとき、マクロからフェムトへのハンドオフ中にフェムトセルパイロット擬似雑音オフセット曖昧性の問題が生じる。したがって、リソース利用およびエンドユーザエクスペリエンスを最適化するマクロ基地局からＡＰ基地局へのＡＴのアクティブハンドオフのための改善された方法およびシステムが必要である。
【発明の概要】
【０００７】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
１つまたは複数の実施形態およびその対応する開示に従って、ＡＴがアクティブモードにあるときなどマクロ基地局からフェムトＡＰへＡＴをハンドオフするための方法に関する様々な態様について説明する。たとえば、本方法は、マクロ基地局と動作可能に通信するインターネットプロトコルマルチメディアサブシステム（ＩＭＳ）エンティティ（たとえば、サービングモバイル交換センター）からのハンドオフメッセージ／スティミュラス（たとえば、ファシリティディレクティブ、ハンドオフバック、および／またはハンドオフツーサードメッセージ）を受信することを含むことができる。たとえば、ハンドオフメッセージは、フェムト構成情報（たとえば、フェムトＡＰのための擬似雑音オフセット、ソースマクロセル識別子、隣接フェムトＡＰのパイロット信号強度測定値など）を含むことができる。
【０００９】
本方法は、フェムト構成情報に少なくとも部分的に基づいて複数のフェムトＡＰからフェムトＡＰを選択することを含むことができる。たとえば、フェムト構成情報は、選択されたフェムトＡＰの少なくとも１つのグローバル識別子を備えることができる。フェムトＡＰの少なくとも１つのグローバル識別子は、ＭＳＣ識別子、セル識別子、機械可読アドレス、テキストストリング、地理ロケーションデータなどのうちの１つまたは複数を備えることができる。
【００１０】
本方法は、少なくとも１つのグローバル識別子に少なくとも部分的に基づいてフェムトＡＰのセッション開始プロトコル（ＳＩＰ）ユニフォームリソース識別子（ＵＲＩ）を判断することを含むことができる。本方法は、（たとえば、中間エンティティなどを介して）ＳＩＰメッセージをフェムトＡＰに送信するためにＳＩＰ  ＵＲＩを使用することを含むことができる。中間エンティティは呼セッション制御機能（ＣＳＣＦ）などを含むことができる。ＳＩＰメッセージはハンドオフ要求を備えることができる。
【００１１】
本方法は、フェムトＡＰからＳＩＰメッセージ肯定応答を受信したことに応答して、（たとえば、フェムトＡＰとメディアゲートウェイとの間の）フェムトＡＰのためのバックホールベアラを確立することを含むことができる。ＳＩＰメッセージ肯定応答を受信することは、ハンドオフ要求肯定応答および／またはフェムトＡＰのＳＤＰ情報を受信することを備えることができる。本方法は、ハンドオフメッセージ応答をＩＭＳエンティティに送信し、それによってフェムトＡＰへのＡＴのハンドオフが行われることを含むことができる。本方法は、ＩＭＳおよび／またはフェムトコンバージェンスサーバ（ＦＣＳ）への複数のフェムトＡＰの各々のプロビジョニング登録をさらに含むことができる。本明細書で説明するアクティブハンドオフ方法は、レガシーＡＴをサポートし、レガシーネットワークへの変更を最小にすると考えられる。
【００１２】
１つまたは複数の実施形態およびその対応する開示に従って、マクロ基地局からフェムトＡＰへＡＴをハンドオフするためのデバイスおよび装置に関する様々な態様について説明する。たとえば、本装置は、マクロ基地局と動作可能に通信するＩＭＳエンティティからハンドオフメッセージ／スティミュラスを受信するための手段であって、ハンドオフメッセージがフェムト構成情報を備える、受信するための手段を含むことができる。本装置は、フェムト構成情報に少なくとも部分的に基づいて複数のフェムトＡＰからフェムトＡＰを選択するための手段と、少なくとも１つのグローバル識別子などに少なくとも部分的に基づいてフェムトＡＰのＳＩＰ  ＵＲＩを判断するための手段と、ＳＩＰメッセージをフェムトＡＰに送信するためにＳＩＰ  ＵＲＩを使用するための手段とを含むことができる。本装置は、フェムトＡＰからＳＩＰメッセージ肯定応答を受信したことに応答してフェムトＡＰのためのバックホールベアラを確立するための手段と、ハンドオフメッセージ応答をＩＭＳエンティティに送信するための手段とを含むことができる。
【００１３】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に示す。ただし、これらの態様は、様々な実施形態の原理を使用する様々な方法のほんのいくつかを示すものであり、説明する実施形態は、すべてのそのような態様およびそれらの均等物を含むものとする。
【図面の簡単な説明】
【００１４】
【図１】一実施形態による多元接続ワイヤレス通信システムの図。
【図２】通信システムのブロック図。
【図３Ａ】ネットワーク環境内のアクセスポイント基地局の展開の態様を示す図。
【図３Ｂ】ネットワーク環境内のアクセスポイント基地局の展開の態様を示す図。
【図３Ｃ】ネットワーク環境内のアクセスポイント基地局の展開の態様を示す図。
【図４】本発明の一実施形態による、ＡＴによって実行されるマクロ基地局からフェムトＡＰへのハンドオフプロシージャのコールフロー図。
【図５】本発明の一実施形態による、ＡＴによって実行されるフェムトＡＰからマクロ基地局へのハンドオフプロシージャのコールフロー図。
【図６Ａ】マクロ基地局からフェムトＡＰへＡＴをハンドオフするための方法のための一実施形態を示す図。
【図６Ｂ】図６Ａに示す方法の例示的な態様の図。
【図７】マクロ基地局からフェムトＡＰへＡＴをハンドオフするための装置の一実施形態を示す図。
【発明を実施するための形態】
【００１５】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００１６】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは広帯域ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、広域移動体通信システム（GSM（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびGSM（登録商標）は、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、GSM（登録商標）、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００１７】
ＳＣ−ＦＤＭＡシステムは、シングルキャリア変調および周波数領域等化を利用し、ＯＦＤＭＡシステムと同様のパフォーマンスおよび本質的に同じ全体的な複雑さを有することができる。ＳＣ−ＦＤＭＡ信号は、一般に、その特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いており、現在、３ＧＰＰ  ＬＴＥ、またはＥｖｏｌｖｅｄ  ＵＴＲＡにおけるアップリンク多元接続方式に関する実用的な前提である。本文書では、以下の略語を適用する。
【００１８】
ＡＭ            確認型モード
ＡＭＤ          確認型モードデータ
ＡＲＱ          自動再送要求
ＢＣＣＨ        ブロードキャスト制御チャネル
ＢＣＨ          ブロードキャストチャネル
ＣＣＣＨ        共通制御チャネル
ＣＣＨ          制御チャネル
ＣＣＴｒＣＨ    符号化複合トランスポートチャネル
ＣＰ            巡回プレフィックス
ＣＲＣ          巡回冗長検査
ＣＴＣＨ        共通トラフィックチャネル
ＤＣＣＨ        専用制御チャネル
ＤＣＨ          専用チャネル
ＤＬ            ダウンリンク
ＤＬ−ＳＣＨ    ダウンリンク共有チャネル
ＤＳＣＨ        ダウンリンク共有チャネル
ＤＴＣＨ        専用トラフィックチャネル
ＦＡＣＨ        順方向リンクアクセスチャネル
ＦＤＤ          周波数分割複信
Ｌ１            Ｌａｙｅｒ１（物理層）
Ｌ２            Ｌａｙｅｒ２（データリンク層）
Ｌ３            Ｌａｙｅｒ３（ネットワーク層）
ＬＩ            長さインジケータ
ＬＳＢ          最下位ビット
ＭＡＣ          媒体アクセス制御
ＭＢＭＳ        マルチメディアブロードキャストマルチキャストサービス
ＭＢＳＦＮ      マルチキャストブロードキャスト単一周波数ネットワーク
ＭＣＥ          ＭＢＭＳ調整エンティティ
ＭＣＨ          マルチキャストチャネル
ＭＲＷ          移動受信ウィンドウ
ＭＳＢ          最上位ビット
ＭＳＣＨ        ＭＢＭＳポイントツーマルチポイントスケジューリングチャネル
ＭＴＣＨ        ＭＢＭＳポイントツーマルチポイントトラフィックチャネル
ＰＣＣＨ        ページング制御チャネル
ＰＣＨ          ページングチャネル
ＰＤＣＣＨ      物理ダウンリンク制御チャネル
ＰＤＳＣＨ      物理ダウンリンク共有チャネル
ＰＤＵ          プロトコルデータユニット
ＰＨＹ          物理層
ＰｈｙＣＨ      物理チャネル
ＲＡＣＨ        ランダムアクセスチャネル
ＲＬＣ          無線リンク制御
ＲＲＣ          無線リソース制御
ＳＡＰ          サービスアクセスポイント
ＳＤＵ          サービスデータユニット
ＳＨＣＣＨ      共有チャネル制御チャネル
ＳＮ            シーケンス番号
ＳＵＦＩ        スーパーフィールド
ＴＣＨ          トラフィックチャネル
ＴＤＤ          時分割複信
ＴＦＩ          トランスポートフォーマットインジケータ
ＴＭ            透過型モード
ＴＭＤ          透過型モードデータ
ＴＴＩ          送信時間間隔
ＵＥ            ユーザ機器
ＵＬ            アップリンク
ＵＭ            確認なしモード
ＵＭＤ          確認なしモードデータ
ＵＭＴＳ        Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ        ＵＭＴＳ  Ｔｅｒｒｅｓｔｒｉａｌ  Ｒａｄｉｏ  Ａｃｃｅｓｓ
ＵＴＲＡＮ      ＵＭＴＳ  Ｔｅｒｒｅｓｔｒｉａｌ  Ｒａｄｉｏ  Ａｃｃｅｓｓ  Ｎｅｔｗｏｒｋ
図１を参照すると、一実施形態による多元接続ワイヤレス通信システムが示されている。アクセスポイント１００（ＡＰ）は複数のアンテナグループを含み、あるアンテナグループは１０４および１０６を含み、別のアンテナグループは１０８および１１０を含み、追加のアンテナグループは１１２および１１４を含む。図１では、アンテナグループごとに２つのアンテナのみが示されているが、アンテナグループごとにより多いまたはより少ないアンテナが利用できる。アクセス端末１１６（ＡＴ）はアンテナ１１２および１１４と通信中であり、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用することができる。たとえば、順方向リンク１２０は、逆方向リンク１１８によって使用される周波数とは異なる周波数を使用することができる。
【００１９】
アンテナの各グループ、および／またはアンテナが通信するように設計されたエリアは、しばしば、ＡＰのセクタと呼ばれる。本実施形態では、アンテナグループはそれぞれ、ＡＰ１００によってカバーされるエリアのセクタ内でアクセス端末に通信するように設計される。順方向リンク１２０および１２６上の通信では、ＡＰ１００の送信アンテナは、異なるアクセス端末１１６および１２４に対して順方向リンクの信号対雑音比を改善するためにビームフォーミングを利用する。また、ＡＰが、ビームフォーミングを使用して、そのカバレージ中にランダムに分散されたアクセス端末に送信するほうが、ＡＰが単一のアンテナを介してすべてのそのアクセス端末に送信するよりも、隣接セル中のアクセス端末への干渉が小さくなる。
【００２０】
本明細書で説明する実施形態の態様によれば、データ伝送のために複数（ＮＴ個）の送信アンテナおよび複数（ＮＲ個）の受信アンテナを採用する多入力多出力（ＭＩＭＯ）システムが提供される。ＮＴ個の送信アンテナとＮＲ個の受信アンテナとによって形成されるＭＩＭＯチャネルは、空間チャネルとも呼ばれるＮＳ個の独立チャネルに分解でき、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００２１】
ＭＩＭＯシステムは時分割複信（「ＴＤＤ」）および周波数分割複信（「ＦＤＤ」）をサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００２２】
本明細書の教示は、少なくとも１つの他のノードと通信するための様々な構成要素を採用するノード（たとえば、デバイス）に組み込むことができる。図２に、ノード間の通信を可能にするために採用できるいくつかの例示的な構成要素を示す。特に、図２に、ＭＩＭＯシステム２００のワイヤレスデバイス２１０（たとえば、アクセスポイント）とワイヤレスデバイス２５０（たとえば、アクセス端末）とを示す。デバイス２１０では、いくつかのデータストリームのトラフィックデータが、データソース２１２から送信（「ＴＸ」）データプロセッサ２１４に供給される。
【００２３】
いくつかの態様では、各データストリームは、それぞれの送信アンテナを介して送信される。ＴＸデータプロセッサ２１４は、符号化データを与えるために、そのデータストリーム用に選択された特定の符号化方式に基づいて各データストリームのトラフィックデータをフォーマッティングし、符号化し、インターリーブする。
【００２４】
各データストリームの符号化データは、ＯＦＤＭ技法を使用してパイロットデータで多重化できる。パイロットデータは、典型的には、知られている方法で処理され、チャネル応答を推定するために受信機システムにおいて使用できる、知られているデータパターンである。次いで、各データストリームの多重化されたパイロットおよび符号化データは、変調シンボルを供給するために、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、または多値直交振幅変調（Ｍ−ＱＡＭ））に基づいて変調（すなわち、シンボルマッピング）される。各データストリームのデータレート、符号化、および変調は、プロセッサ２３０によって実行される命令によって判断できる。データメモリ２３２は、プロセッサ２３０またはデバイス２１０の他の構成要素によって使用されるプログラムコード、データ、および他の情報を記憶することができる。
【００２５】
次いで、すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭの場合）その変調シンボルを処理する。次いで、ＴＸ  ＭＩＭＯプロセッサ２２０は、ＮT個の変調シンボルストリームをＮT個のトランシーバ（「ＸＣＶＲ」）２２２Ａ〜２２２Ｔに供給する。いくつかの態様では、ＴＸ  ＭＩＭＯプロセッサ２２０は、データストリームのシンボルと、シンボルが送信されているアンテナとにビームフォーミング重みを付加する。
【００２６】
各トランシーバ２２２は、それぞれのシンボルストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ２２２Ａ〜２２２ＴからのＮTの変調信号は、それぞれ、ＮT個のアンテナ２２４Ａ〜２２４Ｔから送信される。
【００２７】
デバイス２５０では、送信された変調信号はＮＲ個のアンテナ２５２Ａ〜２５２Ｒによって受信され、各アンテナ２５２からの受信信号は、それぞれのトランシーバ（「ＸＣＶＲ」）２５４Ａ〜２５４Ｒに供給される。各トランシーバ２５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給する。
【００２８】
次いで、受信（ＲＸ）データプロセッサ２６０は、特定の受信機処理技法に基づいてＮＲ個のトランシーバ２５４からＮＲ個の受信シンボルストリームを受信し、処理して、ＮT個の「検出」シンボルストリームを供給する。次いで、ＲＸデータプロセッサ２６０は、各検出シンボルストリームを復調し、デインターリーブし、復号して、データストリームに対するトラフィックデータを回復する。ＲＸデータプロセッサ２６０による処理は、デバイス２１０においてＴＸ  ＭＩＭＯプロセッサ２２０およびＴＸデータプロセッサ２１４によって実行される処理を補足するものである。
【００２９】
プロセッサ２７０は、どのプリコーディング行列（以下で論じる）を使用すべきかを定期的に判断する。プロセッサ２７０は、行列インデックス部とランク値部とを備える逆方向リンクメッセージを作成する。データメモリ２７２は、プロセッサ２７０またはデバイス２５０の他の構成要素によって使用されるプログラムコード、データ、および他の情報を記憶することができる。
【００３０】
逆方向リンクメッセージは、通信リンクおよび／または受信データストリームに関する様々なタイプの情報を備えることができる。次いで、逆方向リンクメッセージは、データソース２３６からいくつかのデータストリームのトラフィックデータをも受信するＴＸデータプロセッサ２３８によって処理され、変調器２８０によって変調され、トランシーバ２５４Ａ〜２５４Ｒによって調整され、デバイス２１０に戻される。
【００３１】
デバイス２１０において、デバイス２５０からの変調信号は、アンテナ２２４によって受信され、トランシーバ２２２によって調整され、復調器（「ＤＥＭＯＤ」）２４０によって復調され、ＲＸデータプロセッサ２４２によって処理されて、デバイス２５０によって送信された逆方向リンクメッセージが抽出される。次いで、プロセッサ２３０は、ビームフォーミング重みを決定するためにどのプリコーディング行列を使用すべきかを判断し、次いで、抽出されたメッセージを処理する。
【００３２】
図２はまた、通信構成要素が、本明細書で教示する干渉制御動作を実行する１つまたは複数の構成要素を含むことができることを示す。たとえば、干渉（「ＩＮＴＥＲ」）制御構成要素２９０は、デバイス２１０のプロセッサ２３０および／または他の構成要素と協働して、本明細書で教示する別のデバイス（たとえば、デバイス２５０）との間で信号を送信／受信することができる。同様に、干渉制御構成要素２９２は、プロセッサ２７０および／またはデバイス２５０の他の構成要素と協働して、別のデバイス（たとえば、デバイス２１０）との間で信号を送信／受信することができる。各デバイス２１０および２５０について、記載の構成要素のうちの２つ以上の機能が単一の構成要素によって提供できることを諒解されたい。たとえば、単一の処理構成要素が干渉制御構成要素２９０およびプロセッサ２３０の機能を提供し、また、単一の処理構成要素が干渉制御構成要素２９２およびプロセッサ２７０の機能を提供することができる。
【００３３】
本明細書で説明する実施形態の一態様によれば、論理チャネルは、論理制御チャネルと論理トラフィックチャネルとに分類できる。論理制御チャネルは、システム制御情報をブロードキャストするためのＤＬチャネルであるＢＣＣＨ、ページング情報を転送するＤＬチャネルであるＰＣＣＨ、および／または１つまたは複数のＭＴＣＨについてのＭＢＭＳのスケジューリングおよび制御情報を送信するために使用されるポイントツーマルチポイントＤＬチャネルであるＭＢＭＳポイントツーマルチポイント制御チャネルを備えることができる。一般に、ＲＲＣ接続を確立した後、このチャネルはＭＢＭＳを受信するＡＴによって使用される。代替または追加として、論理制御チャネルは、専用制御情報を送信するポイントツーポイント双方向チャネルであり、ＲＲＣ接続を有するＡＴによって使用できるＤＣＣＨを備えることができる。本明細書で説明する実施形態の別の態様によれば、論理トラフィックチャネルは、ユーザ情報を転送するための１つのＡＴに専用のポイントツーポイント双方向チャネルであるＤＴＣＨ、および／またはトラフィックデータを送信するためのポイントツーマルチポイントＤＬチャネルであるＭＴＣＨを備えることができる。
【００３４】
一態様によれば、トランスポートチャネルは、ＤＬとＵＬとに分類できる。ＤＬトランスポートチャネルは、ＢＣＨと、ダウンリンク共有データチャネル（ＤＬ−ＳＤＣＨ）と、ＡＴ節電（ＤＲＸサイクルがネットワークによってＡＴに示される）をサポートするためのＰＣＨを備えることができ、これらのチャネルは、セル全体にわたってブロードキャストされ、他の制御／トラフィックチャネル用に使用できるＰＨＹリソースにマッピングされる。ＵＬトランスポートチャネルは、ＲＡＣＨ、要求チャネル（ＲＥＱＣＨ）、アップリンク共有データチャネル（ＵＬ−ＳＤＣＨ）、および／または複数のＰＨＹチャネルを備えることができる。ＰＨＹチャネルは、ＤＬチャネルとＵＬチャネルとのセットを備えることができる。
【００３５】
ＤＬ  ＰＨＹチャネルは、共通パイロットチャネル（ＣＰＩＣＨ）、同期チャネル（ＳＣＨ）、ＣＣＣＨ、共有ＤＬ制御チャネル（ＳＤＣＣＨ）、マルチキャスト制御チャネル、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および／または負荷インジケータチャネル（ＬＩＣＨ）を備えることができる。
【００３６】
ＵＬ  ＰＨＹチャネルは、物理ランダムアクセスチャネル（ＰＲＡＣＨ）、チャネル品質インジケータチャネル（ＣＱＩＣＨ）、ＡＣＫＣＨ、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、および／またはブロードバンドパイロットチャネル（ＢＰＩＣＨ）を備えることができる。
【００３７】
関連する態様では、シングルキャリア波形の（所与の時間に、チャネルが周波数において連続するまたは一様に離間される）ピーク対平均電力比（ＰＡＲ）特性を低いまま保つチャネル構造を提供する。
【００３８】
いくつかの態様では、マクロスケールのカバレージ（たとえば、一般にマクロセルネットワークと呼ばれる、３Ｇネットワークなどの広域セルラーネットワーク）、および小さいスケールのカバレージ（たとえば、住居ベースまたは建築物ベースのネットワーク環境）を含むネットワーク中で、本明細書の教示を採用することができる。ＡＴがそのようなネットワーク中を移動するとき、ＡＴは、あるロケーションでは、マクロカバレージを与えるアクセスノード（ＡＮ）によってサービスされ、他のロケーションでは、より小さいスケールのカバレージを与えるアクセスノードによってサービスされることがある。いくつかの態様では、より小さいカバレージノードを使用して、増分キャパシティの増大と、屋内カバレージと、（たとえば、よりロバストなユーザエクスペリエンスのための）様々なサービスとを与えることができる。本明細書での説明では、比較的大きいエリアにわたってカバレージを与えるノードを、マクロノードと呼ぶことがある。比較的小さいエリア（たとえば、住居）にわたってカバレージを与えるノードを、フェムトノードと呼ぶことがある。マクロエリアよりも小さく、フェムトエリアよりも大きいエリアにわたってカバレージを与える（たとえば、商業建築物内のカバレージを与える）ノードを、ピコノードと呼ぶことがある。
【００３９】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（たとえば、分割する）ことができる。
【００４０】
様々な適用例では、マクロノード、フェムトノード、またはピコノードを指すために他の用語を使用することがある。たとえば、マクロノードを、アクセスノード、基地局、アクセスポイント、進化型ノードＢ（ｅノードＢ）、マクロセルなどとして構成し、またはそのように呼ぶことがある。また、フェムトノードを、ホームノードＢ（ＨＮＢ）、ホーム進化型ノードＢ（ＨｅＮｏｄｅＢ）、ＡＰ基地局、フェムトセル、フェムトアクセスポイント（フェムトＡＰ）などとして構成し、またはそのように呼ぶことがある。
【００４１】
図３Ａに、本明細書の教示を実装することができる、いくつかのユーザをサポートするように構成されたワイヤレス通信システム３００を示す。システム３００は、たとえば、マクロセル３０２Ａ〜３０２Ｇなど、複数のセル３０２の通信を可能にし、各セルは、対応するアクセスノード３０４（たとえば、アクセスノード３０４Ａ〜３０４Ｇ）によってサービスされる。図３に示すように、アクセス端末３０６（たとえば、アクセス端末３０６Ａ〜３０６Ｌ）は、時間とともにシステム全体にわたって様々なロケーションに分散できる。各アクセス端末３０６は、たとえば、アクセス端末３０６がアクティブであるかどうか、およびアクセス端末３０６がソフトハンドオフ中であるかどうかに応じて、所与の瞬間に順方向リンクおよび／または逆方向リンク上で１つまたは複数のアクセスノード３０４と通信することができる。ワイヤレス通信システム３００は広い地理的領域にわたってサービスを提供することができる。たとえば、マクロセル３０２Ａ〜３０２Ｇは、近隣内の数ブロックをカバーすることができる。
【００４２】
図３Ｂに、１つまたは複数のフェムトノードがネットワーク環境内に展開された例示的な通信システム３１０を示す。特に、システム３１０は、比較的小さいスケールのネットワーク環境中に（たとえば、１つまたは複数のユーザ住居３１６中に）設置された複数のフェムトノード３１２（たとえば、フェムトノード３１２Ａおよび３１２Ｂ）を含む。各フェムトノード３１２は、ＤＳＬルータ、ケーブルモデム、ワイヤレスリンク、または他の接続手段（図示せず）を介して、ワイドエリアネットワーク３１８（たとえば、インターネット）およびモバイルオペレータコアネットワーク３２０に結合できる。以下で論じるように、各フェムトノード３１２は、関連するアクセス端末３１４（たとえば、アクセス端末３１４Ａ）、および、随意に、外来アクセス端末３１４（たとえば、アクセス端末３１４Ｂ）にサービスするように構成できる。言い換えれば、フェムトノード３１２へのアクセスを制限することができ、それによって、所与のアクセス端末３１４を、指定された（１つまたは複数の）（たとえば、ホーム）フェムトノード３１２のセットがサービスすることはできるが、指定されていないフェムトノード３１２（たとえば、ネイバーのフェムトノード３１２）がサービスすることはできない。
【００４３】
図３Ｃに、いくつかの追跡エリア３３２（またはルーティングエリアまたはロケーションエリア）が画定されたカバレージマップ３３０の例を示し、そのエリアの各々はいくつかのマクロカバレージエリア３３４を含む。ここで、トラッキングエリア３３２Ａ、３３２Ｂ、および３３２Ｃに関連付けられたカバレージのエリアは太線によって輪郭を描かれ、マクロカバレージエリア３３４は六角形によって表されている。トラッキングエリア３３２はフェムトカバレージエリア３３６をも含む。この例では、フェムトカバレージエリア３３６の各々（たとえば、フェムトカバレージエリア３３６Ｃ）は、マクロカバレージエリア３３４（たとえば、マクロカバレージエリア３３４Ｂ）内に示される。ただし、フェムトカバレージエリア３３６は、完全にマクロカバレージエリア３３４内にあるわけではないことを諒解されたい。実際問題として、多数のフェムトカバレージエリア３３６を所与のトラッキングエリア３３２またはマクロカバレージエリア３３４とともに画定することができる。また、１つまたは複数のピコカバレージエリア（図示せず）を所与のトラッキングエリア３３２またはマクロカバレージエリア３３４内に画定することができる。
【００４４】
再び図３Ｂを参照すると、フェムトノード３１２の所有者は、たとえば、３Ｇモバイルサービスなど、モバイルオペレータコアネットワーク３２０を介して提供されるモバイルサービスに加入することができる。さらに、アクセス端末３１４は、マクロ環境と、より小さいスケールの（たとえば、住居）ネットワーク環境との両方で動作することが可能であることがある。言い換えれば、アクセス端末３１４の現在位置に応じて、アクセス端末３１４は、マクロセルモバイルネットワーク３２０のアクセスノード３２２によって、またはフェムトノード３１２のセット（たとえば、対応するユーザ住居３１６内に常駐するフェムトノード３１２Ａおよび３１２Ｂ）のうちのいずれか１つによってサービスされることがある。たとえば、加入者は、自宅の外にいるときは標準のマクロアクセスノード（たとえば、ノード３２２）によってサービスされ、自宅の中にいるときはフェムトノード（たとえば、ノード３１２Ａ）によってサービスされる。ここで、フェムトノード３１４は既存のアクセス端末３１４と後方互換性があることを諒解されたい。
【００４５】
フェムトノード３１２は、単一の周波数上に展開でき、または代替として、複数の周波数上に展開できる。特定の構成に応じて、単一の周波数、あるいは複数の周波数のうちの１つまたは複数は、マクロノード（たとえば、ノード３２２）によって使用される１つまたは複数の周波数と重複することがある。
【００４６】
いくつかの態様では、アクセス端末３１４は、そのような接続性が可能であるときはいつでも、好適なフェムトノード（たとえば、アクセス端末３１４のホームフェムトノード）に接続するように構成できる。たとえば、アクセス端末３１４がユーザの住居３１６内にあるときはいつでも、アクセス端末３１４がホームフェムトノード３１２のみと通信することが望ましい。
【００４７】
いくつかの態様では、アクセス端末３１４がマクロセルラーネットワーク３２０内で動作しているが、（たとえば、好適ローミングリスト中で定義された）その最も好適なネットワーク上に常駐していない場合、アクセス端末３１４は、ベターシステムリセレクション（「ＢＳＲ」）を使用して、最も好適なネットワーク（たとえば、好適なフェムトノード３１２）を探索し続け、ベターシステムリセレクションでは、より良好なシステムが現在利用可能であるかどうかを判断するために利用可能なシステムの周期的スキャニングを行い、その後、そのような好適なシステムに関連付けようとすることができる。捕捉エントリを用いて、アクセス端末３１４は、特定の帯域およびチャネルの探索を制限することができる。たとえば、最も好適なシステムの探索を周期的に繰り返すことができる。好適なフェムトノード３１２が発見されると、アクセス端末３１４は、そのカバレージエリア内にキャンプするためにフェムトノード３１２を選択する。
【００４８】
フェムトノードは、いくつかの態様では、制限されることがある。たとえば、所与のフェムトノードは、いくつかのサービスをいくつかのアクセス端末のみに提供することができる。いわゆる制限（または限定）された関連付けを用いた展開では、所与のアクセス端末は、マクロセルモバイルネットワークと、フェムトノードの定義されたセット（たとえば、対応するユーザ住居３１６内に常駐するフェムトノード３１２）とによってのみサービスされることがある。いくつかの実装形態では、ノードは、少なくとも１つのノードにシグナリング、データアクセス、登録、ページング、またはサービスのうちの少なくとも１つを与えないように制限される。
【００４９】
いくつかの態様では、（限定加入者グループホームノードＢと呼ばれることもある）制限されたフェムトノードは、サービスを、制限された準備されたアクセス端末のセットに提供するノードである。このセットは、必要に応じて、一時的にまたは永続的に拡大できる。いくつかの態様では、限定加入者グループ（「ＣＳＧ」）は、アクセス端末の共通のアクセス制御リストを共有するアクセスノード（たとえば、フェムトノード）のセットとして定義できる。領域中のすべてのフェムトノード（またはすべての制限されたフェムトノード）が動作するチャネルをフェムトチャネルと呼ぶことがある。
【００５０】
したがって、所与のフェムトノードと所与のアクセス端末との間には様々な関係が存在する。たとえば、アクセス端末の観点から、開いたフェムトノードは、制限された関連付けをもたないフェムトノードを指す。制限されたフェムトノードは、何らかの形で制限された（たとえば、関連付けおよび／または登録について制限された）フェムトノードを指す。ホームフェムトノードは、アクセス端末がアクセスし、その上で動作することを許可されるフェムトノードを指す。ゲストフェムトノードは、アクセス端末がアクセスし、またはその上で動作することを一時的に許可されるフェムトノードを指す。外来フェムトノードは、おそらく非常事態（たとえば、９１１番）を除いて、アクセス端末がアクセスし、またはその上で動作することを許可されないフェムトノードを指す。
【００５１】
制限されたフェムトノードの観点から、ホームアクセス端末は、制限されたフェムトノードへのアクセスを許可されるアクセス端末を指す。ゲストアクセス端末は、制限されたフェムトノードに一時的にアクセスできるアクセス端末を指す。外来アクセス端末は、たとえば、おそらく９１１番などの非常事態を除いて、制限されたフェムトノードにアクセスする許可を有していないアクセス端末（たとえば、制限されたフェムトノードに登録する証明書または許可を有していないアクセス端末）を指す。
【００５２】
便宜のために、本明細書の開示では、フェムトノードの文脈で様々な機能について説明する。ただし、ピコノードは、より大きいカバレージエリアに同じまたは同様の機能を与えることができることを諒解されたい。たとえば、所与のアクセス端末に対して、ピコノードを制限すること、ホームピコノードを定義することなどが可能である。
【００５３】
本明細書で説明する実施形態の態様によれば、１ｘ  ｃｄｍａ２０００マクロアクセスネットワーク（ＡＮ）からフェムトノードまたはフェムトＡＰへのハンドオフ中、ネットワーク３５０のフェムトコンバージェンスサーバ（ＦＣＳ）は、システム間ハンドオフプロシージャにおいてターゲットモバイル交換センター（ＭＳＣ）として動作する。ターゲットフェムトＡＰは、たとえば、ソースＭＳＣへのＩＳ−４１セルグローバル識別子（ＩＣＧＩ）など、そのグローバル識別子によって一意に識別できる。ＩＣＧＩは、ＭＳＣ識別子および／またはセル識別子（たとえば、ＭＳＣ＿ＩＤ、Ｃｅｌｌ＿ＩＤ）を備えることができる。ソースＭＳＣは、ターゲットＦＣＳへのファシリティディレクティブメッセージ（たとえば、ＦＡＣＤＩＲ２）をトリガすることができる。ターゲットＦＣＳは、フェムトＡＰのセッション開始プロトコル（ＳＩＰ）アドレスを使用して、フェムトＡＰを識別することが望ましい。さらに、関連するサービング呼セッション制御機能（Ｓ−ＣＳＣＦ）およびプロキシ呼セッション制御機能（Ｐ−ＣＳＣＦ）をも識別する必要がある。
【００５４】
一実施形態では、フェムトＡＰに関連付けられたＳ−ＣＳＣＦは、フェムトＡＰに代わって、モバイルアプリケーションパート（ＭＡＰ）フェムトインターワーキング機能（ＭＦＩＦ）と呼ばれることがある、ＦＣＳへのサードパーティ登録を実行する。たとえば、ＦＣＳは、セル識別子（たとえば、ＭＳＣ＿ＩＤ／Ｃｅｌｌ＿ＩＤ）をフェムトＡＰに割り当て、フェムトＡＰのＳＩＰ連絡先および関連するＳ−ＣＳＣＦ／Ｐ−ＣＳＣＦアドレスをＭＳＣ＿ＩＤ／Ｃｅｌｌ＿ＩＤに関連付けることができる。代替または追加として、フェムトＡＰ  ＳＩＰ連絡先は、フェムトＡＰに割り当てられたＭＳＣ＿ＩＤ／Ｃｅｌｌ＿ＩＤから導出できる。ハンドオフ中、ここで、ハンドオフ中にターゲットフェムトＡＰのターゲットセル識別子（ＭＳＣ＿ＩＤ／Ｃｅｌｌ＿ＩＤ）が与えられると、ＦＣＳによってフェムトＡＰ  ＳＩＰ連絡先を一意に識別することができる。
【００５５】
図４に、本発明の一実施形態による、ＡＴ４０２によって実行されるマクロＡＮのマクロ基地局４０４からフェムトＡＰ４２０へのハンドオフプロシージャのコールフロー図４００を示す。図４に示すように、コールフロー図４００に示す他のエンティティは、サービングモバイル交換センター（ＭＳＣ）４０６および／またはアンカーＭＳＣ４０８、ターゲットＦＣＳ４１０および／またはメディアゲートウェイ（ＭＧＷ）４１２、問合せ呼セッション制御機能（Ｉ−ＣＳＣＦ）４１４および／またはＰ−ＣＳＣＦ４１６および／またはＳ−ＣＳＣＦ４１８、ならびに公衆交換電話網（ＰＳＴＮ）４２２および／または他のエンドポイント（ＯＥＰ）４２４を含むことができる。
【００５６】
一実施形態では、ステップ４３０において、被サービスＡＴに関係する呼が進行中である。ステップ４３２において、サービングマクロ基地局４０４は、ハンドオフが必要とされているかどうかを判断し、ハンドオフ必要メッセージをサービングＭＳＣ４０６に送信する。ステップ４３４において、サービングＭＳＣ４０６は、（たとえば、報告されたＩＣＧＩに基づいて）候補ＦＣＳへのハンドオフが適切であるかどうかを判断することを選択する。
【００５７】
ステップ４３６において、サービングＭＳＣ４０６は、呼を候補（現在ターゲット）ＦＣＳ４１０にハンドオフすべきか、ターゲットＦＣＳ４１０がまだコールパス上にないかを判断する。サービングＭＳＣ４０６は、ファシリティディレクティブメッセージ（たとえば、ＦＡＣＤＩＲ）をターゲットＦＣＳ４１０に送信し、ハンドオフフォワードタスクを開始するようにターゲットＦＣＳ４１０に指示する。サービングＭＳＣ４０６がタンデムセグメントをカウントする場合、（たとえば、ＢｉｌｌｉｎｇＩＤパラメータなどにおいて）セグメントカウンタなどを１だけ増分する。
【００５８】
ステップ４３８において、ターゲットＦＣＳ４１０は、ファシリティディレクティブメッセージに含まれるグローバル識別子（たとえば、ＩＣＧＩ）からフェムトＡＰ  ＳＩＰアドレスを導出し、関連するＳ−ＣＳＣＦをルックアップして、（たとえば、ＳＩＰメッセージなどを使用してカプセル化された）ハンドオフ必要メッセージを送信する。ターゲットＳ−ＣＳＣＦ４１８は、Ｐ−ＣＳＣＦ４１６を介してＳＩＰメッセージをターゲットフェムトＡＰ４２０にフォワーディングする。
【００５９】
ステップ４４０において、フェムトＡＰ４２０は、ＡＴ４０２がフェムトＡＰ４２０を介した１ｘ  ｃｄｍａ２０００回線交換サービスを許されており、送信勧誘（たとえば、ＳＩＰ＿ＩＮＶＩＴＥなど）をＰ−ＣＳＣＦ４１６に送信し、次いでＳ−ＣＳＣＦ４１８に送信することができることを検証する。Ｓ−ＣＳＣＦ４１８は送信勧誘をＦＣＳ４１０にフォワーディングする。
【００６０】
ステップ４４２において、ＦＣＳ４１０は、ＭＧＷ４１２が、エフェメラル終端をセットアップし、ＭＧＷセッション記述プロトコル（ＳＤＰ）とともに肯定応答（たとえば、ＳＩＰ＿２００  ＯＫまたはＳＩＰメッセージが送られた所与のＳＩＰエンドパーティによってＳＩＰメッセージが正常に受信されたという同様の肯定応答）をＳ−ＣＳＣＦ４１８とＰ−ＣＳＣＦ４１６とに送信することを要求する。Ｐ−ＣＳＣＦ４１６は肯定応答をフェムトＡＰ４２０にフォワーディングする。
【００６１】
ステップ４４４において、ＭＧＷ  ＳＤＰパラメータとともに肯定応答（たとえば、ＳＩＰ＿２００＿ＯＫ）を受信すると、フェムトＡＰ４２０は、ＭＧＷ４１２へのボイスリアルタイムトランスポートプロトコル（ＲＴＰ）ベアラパスをセットアップし、ハンドオフ要求肯定応答メッセージ（たとえば、Ｈａｎｄｏｆｆ＿Ｒｅｑｕｅｓｔ＿Ａｃｋメッセージなど）を搬送するＳＩＰメッセージをＰ−ＣＳＣＦ４１６とＳ−ＣＳＣＦ４１８とに送信する。Ｓ−ＣＳＣＦ４１８は、ハンドオフ要求肯定応答メッセージをＦＣＳ４１０にフォワーディングする。
【００６２】
ステップ４４６において、指定されたターゲットシステム上で必要なファシリティが利用可能である。したがって、ターゲットＦＣＳ４１０は、（たとえば、受信ＢｉｌｌｉｎｇＩＤパラメータにおいて）セグメントカウンタなどを１だけ増分し、新たなコールセグメントに対して新たなＢｉｌｌｉｎｇＩＤなどを使用し、ファシリティディレクティブを要求側ＭＳＣ４０６に戻し、ハンドオフフォワードタスクを開始する。
【００６３】
ステップ４４８において、ファシリティディレクティブを受信すると、サービングＭＳＣ４０６はモバイルハンドオフオーダーを被サービスＡＴ４０２に送信する。ＡＴ４０２がフェムトＡＰ４２０上の指定されたトラフィックチャネル上で受信される（ステップ４５０）。フェムトＡＰ４２０は、ハンドオフ完了メッセージを搬送するＳＩＰメッセージをＰ−ＣＳＣＦ４１６とＳ−ＣＳＣＦ４１８とに送信する。Ｓ−ＣＳＣＦ４１８は、ＳＩＰメッセージをターゲットＦＣＳ４１０にフォワーディングする（ステップ４５２）。
【００６４】
ステップ４５４において、ターゲットＦＣＳ４１０は、トラフィックチャネルとＭＳＣ−ＦＣＳトランクとの間のボイスパスを完了し、ＭＳＯｎＣｈａｎｎｅｌ（ＭＳＯＮＣＨ）メッセージをハンドオフフォワードタスクのイニシエータに送信する。サービングＭＳＣ４０６は、ターゲットＦＣＳ４１０がハンドオフフォワードタスクを正常に完了したことを要求側システムに通知する。サービングＭＳＣ４０６は、ＭＳＯＮＣＨメッセージを受信すると、ハンドオフプロセスを完了する。まだ接続されていない場合、ＭＳＣ−ＦＣＳトランクはこの時点で接続される。ここで、フェムトＡＰ４２０を介したボイス呼が進行中になる（ステップ４５６）。
【００６５】
図５に、本発明の一実施形態による、ＡＴ５０２によって実行されるフェムトＡＰ５２０からマクロＡＮのターゲットマクロ基地局５０４へのハンドオフプロシージャのコールフロー図５００を示す。図５に示すように、コールフロー図５００に示す他のエンティティは、Ｓ−ＣＳＣＦ５１８および／またはＰ−ＣＳＣＦ５１６、ＦＣＳ５１０および／またはＭＧＷ５１２、ターゲットＭＳＣ５０６、ならびにＰＳＴＮ５２２および／またはＯＥＰ５２４を含むことができる。
【００６６】
一実施形態では、ステップ５３０において、フェムトＡＰ５２０を介した被サービスＡＴ５０２に関係する呼が進行中である。簡単のために、サービングＦＣＳ５１０は、呼の持続時間の間、アンカーＦＣＳであると仮定する。ステップ５３２において、フェムトＡＰ５２０は、ハンドオフが必要とされているかどうかを判断し、ＡＴによって識別されたＡＮを検証する。ステップ５３４において、フェムトＡＰ５２０は、ハンドオフ必要メッセージを搬送するＳＩＰメッセージをＰ−ＣＳＣＦ５１６とＳ−ＣＳＣＦ５１８とに送信する。Ｓ−ＣＳＣＦ５１８はＳＩＰメッセージをサービングＦＣＳ５１０にフォワーディングする。
【００６７】
ステップ５３６において、サービングＦＣＳ５１０は、（たとえば、報告されたＩＣＧＩに基づいて）候補ＭＳＣへのハンドオフが適切であるかどうかを判断することを選択する。サービングＭＳＣは、呼を候補（現在ターゲット）ＭＳＣ５０６にハンドオフすべきか、ターゲットＭＳＣ５０６がまだコールパス上にないかを判断する。ＦＣＳ５１０は、ファシリティディレクティブメッセージ（たとえば、ＦＡＣＤＩＲ）をターゲットＭＳＣ５０６に送信し、ハンドオフフォワードタスクを開始するようにターゲットＭＳＣ５０６に指示する。サービングＦＣＳ５１０がタンデムセグメントをカウントする場合、（たとえば、ＢｉｌｌｉｎｇＩＤパラメータなどにおいて）１だけセグメントカウンタなどを増分する。
【００６８】
ターゲットＭＳＣ５０６は、ターゲットマクロ基地局５０４にハンドオフの準備をさせる（ステップ５３８および５４０）。たとえば、ターゲットＭＳＣ５０６は、ハンドオフ要求メッセージをターゲットマクロ基地局５０４に送信し、ターゲットマクロ基地局５０４は、ハンドオフ要求肯定応答メッセージをターゲットＭＳＣ５０６に送信する。
【００６９】
ステップ５４２において、指定されたターゲットシステム上で必要なファシリティが利用可能である。したがって、ターゲットＭＳＣ５０６は、（たとえば、受信ＢｉｌｌｉｎｇＩＤパラメータにおいて）セグメントカウンタなどを１だけ増分し、新たなコールセグメントに対して新たなＢｉｌｌｉｎｇＩＤなどを使用し、ファシリティディレクティブを要求側ＦＣＳ５１０に戻し、ハンドオフフォワードタスクを開始する。
【００７０】
ステップ５４４において、ファシリティディレクティブを受信すると、サービングＦＣＳ５１０は、ＳＩＰメッセージをＳ−ＣＳＣＦ５１８とＰ−ＣＳＣＦ５１６とに送信し、ここでＳＩＰメッセージはハンドオフコマンドを搬送する。Ｐ−ＣＳＣＦ５１６は、ＳＩＰメッセージをフェムトＡＰ５２０にフォワーディングする。フェムトＡＰ５２０は、マクロＡＮへハンドオフするようにＡＴ５０２に命令し、ハンドオフ開始メッセージを搬送するＳＩＰメッセージをＰ−ＣＳＣＦ５１６とＳ−ＣＳＣＦ５１８とに送信する。Ｓ−ＣＳＣＦ５１８はＳＩＰメッセージをＦＣＳ５１０にフォワーディングする（ステップ５４６および５４８）。
【００７１】
ステップ５５０において、ＡＴ５０２が指定されたトラフィックチャネル上で受信される。ターゲットＭＳＣ５０６は、トラフィックチャネルとＭＳＣ−ＦＣＳトランクとの間のボイスパスを完了し、ＭＳＯＮＣＨメッセージをハンドオフフォワードタスクのイニシエータに送信する。サービングＦＣＳ５１０は、ターゲットＭＳＣ５０６がハンドオフフォワードタスクを正常に完了したことを要求側システムに通知する（ステップ５５２〜５５６）。
【００７２】
ステップ５５８において、サービングＦＣＳ５１０は、ＭＳＯＮＣＨメッセージを受信すると、Ｓ−ＣＳＣＦ５１８とＰ−ＣＳＣＦ５１６とを介してクリアコマンドメッセージなどを搬送するＳＩＰメッセージをフェムトＡＰ５２０に送信することによってハンドオフプロセスを完了する。まだ接続されていない場合、ＦＣＳ−ＭＳＣトランクはこの時点で接続される。ステップ５６０において、フェムトＡＰ５２０は、ハンドオフを実行し、クリア完了メッセージなどを搬送するＳＩＰメッセージを送信するＡＴ５０２に割り振られたリソースを開放する。ここで、マクロＡＮを介したボイス呼が進行中になる（ステップ５６２）。
【００７３】
本明細書で説明する実施形態の１つまたは複数の態様によれば、マクロ基地局からフェムトＡＰへＡＴをハンドオフする（たとえば、フェムトＡＰへのＡＴのアクティブハンドオフ）ための方法が提供される。図６Ａに示す流れ図を参照すると、ＦＣＳなどで実行できる方法６００が提供される。ＦＣＳは、フェムトマネージメントサーバ（ＦＭＳ）または（１つまたは複数の）フェムトＡＰを構成する他の自動構成サーバと動作可能に通信することができる。方法６００は、ステップ６１０において、マクロ基地局と動作可能に通信するインターネットプロトコルマルチメディアサブシステム（ＩＭＳ）エンティティからハンドオフメッセージ／スティミュラス（たとえば、ファシリティディレクティブ、ハンドオフバック、および／またはハンドオフツーサードタイプメッセージ）を受信することを含むことができる。たとえば、ハンドオフメッセージは、フェムト構成情報などを備えることができる。方法６００は、ステップ６２０において、フェムト構成情報に少なくとも部分的に基づいて複数のフェムトＡＰからフェムトＡＰを選択することを含むことができる。たとえば、フェムト構成情報は、選択されたフェムトＡＰの少なくとも１つのグローバル識別子を備えることができる。
【００７４】
方法６００は、ステップ６３０において、少なくとも１つのグローバル識別子に少なくとも部分的に基づいてフェムトＡＰのＳＩＰユニフォームリソース識別子（ＵＲＩ）を判断することを含むことができる。代替または追加として、方法６００は、フェムトＡＰまたは中間エンティティ（たとえば、ＣＳＣＦなど）からの前のアップデートに少なくとも部分的に基づいて、および／またはそのような情報を記憶した適切な通信ネットワークエンティティに問い合わせることによって、フェムトＡＰのＳＩＰ  ＵＲＩを判断することを含むことができる。方法６００は、ＳＩＰメッセージをフェムトＡＰに送信するためにＳＩＰ  ＵＲＩを使用すること（ステップ６４０）と、フェムトＡＰからＳＩＰメッセージ肯定応答を受信したことに応答して、フェムトＡＰのためのバックホールベアラを確立すること（ステップ６５０）と、ハンドオフメッセージ応答をＩＭＳエンティティに送信し、それによってフェムトＡＰへのＡＴのハンドオフが行われること（ステップ６６０）とを含むことができる。
【００７５】
図６Ｂを参照すると、一実施形態では、方法６００は、ステップ６７０において、ＩＭＳとＦＣＳとのうちの少なくとも１つへの複数のフェムトＡＰの各々のプロビジョニング登録をさらに備えることができる。関連する態様では、ステップ６１０は、ファシリティディレクティブメッセージを受信すること（ステップ６１２）を備える。ステップ６１０は、サービングＭＳＣからハンドオフメッセージを受信すること（ステップ６１４）を備え、ステップ６６０は、ハンドオフメッセージ応答をサービングＭＳＣに送信すること（ステップ６６４）を備えることができる。
【００７６】
フェムト構成情報は、フェムトＡＰのための擬似雑音（ＰＮ）オフセットを備えることができる。代替または追加として、フェムト構成情報はソースマクロセル識別子を備えることができる。フェムトＡＰの少なくとも１つのグローバル識別子は、ＭＳＣ識別子、セル識別子、機械可読アドレス、テキストストリング、地理ロケーションデータなどのうちの１つまたは複数を備えることができる。
【００７７】
さらなる関連する態様では、ステップ６４０は、少なくとも１つの中間エンティティを介してＳＩＰメッセージをフェムトＡＰに送信すること（ステップ６４２）を備えることができる。ステップ６４０は、ＣＳＣＦを介してＳＩＰメッセージをフェムトＡＰに送信すること（ステップ６４４）をさらに備えることができる。一実施形態では、ＳＩＰメッセージはハンドオフ要求を備えることができる。
【００７８】
またさらなる関連する態様では、ステップ６５０は、たとえば、ＭＧＷリソースを割り振ることによってなど、フェムトＡＰとＭＧＷとの間のバックホールベアラを確立すること（ステップ６５２）を備えることができる。ステップ６５０において、ＳＩＰメッセージ肯定応答を受信することは、ハンドオフ要求肯定応答を受信すること（ステップ６５４）を備えることができる。代替または追加として、ＳＩＰメッセージ肯定応答を受信することは、フェムトＡＰのＳＤＰ情報を受信すること（ステップ６５６）を備えることができる。
【００７９】
本明細書で説明する実施形態の１つまたは複数の態様によれば、マクロ基地局からフェムトＡＰへＡＴをハンドオフするためのデバイスおよび装置が提供される。図７を参照すると、通信デバイスまたは通信ネットワークエンティティ（たとえば、ＦＣＳなど）のいずれかとして、あるいは通信デバイス内で使用するためのプロセッサまたは同様のデバイスとして構成できる例示的な装置７００が提供される。
【００８０】
図示のように、装置７００は、マクロ基地局と動作可能に通信するＩＭＳエンティティ（たとえば、サービングＭＳＣ）からハンドオフメッセージ／スティミュラスを受信するための手段７２０であって、ハンドオフメッセージがフェムト構成情報（たとえば、フェムトＡＰのためのＰＮオフセット、ソースマクロセル識別子など）を備える、受信するための手段７２０を備えることができる。関連する態様では、ハンドオフメッセージはファシリティディレクティブメッセージなどを備えることができる。
【００８１】
装置７００は、フェムト構成情報に少なくとも部分的に基づいて複数のフェムトＡＰからフェムトＡＰを選択するための手段７３０を備えることができる。フェムト構成情報は、たとえば、ＭＳＣ識別子（たとえば、ＭＳＣ＿ＩＤ）および／またはフェムトＡＰのセル識別子（たとえば、Ｃｅｌｌ＿ＩＤ）など、選択されたフェムトＡＰの少なくとも１つのグローバル識別子を備えることができる。関連する態様では、フェムトＡＰのうちの１つまたは複数をＩＭＳおよび／またはＦＣＳに登録することができる。
【００８２】
装置７００は、少なくとも１つのグローバル識別子に少なくとも部分的に基づいてフェムトＡＰのＳＩＰ  ＵＲＩを判断するための手段７４０を備えることができる。装置７００は、（たとえば、ＣＳＣＦなど、少なくとも１つの中間エンティティを介して）ＳＩＰメッセージをフェムトＡＰに送信するためにＳＩＰ  ＵＲＩを使用するための手段７５０を備えることができる。
【００８３】
装置７００は、フェムトＡＰからＳＩＰメッセージ肯定応答を受信したことに応答して、フェムトＡＰのためのバックホールベアラを確立するための手段７６０を備えることができる。関連する態様では、フェムトＡＰとＭＧＷとの間のバックホールベアラを確立することができる。さらなる関連する態様では、ＳＩＰメッセージはハンドオフ要求を備え、ＳＩＰメッセージ肯定応答は、ハンドオフ要求肯定応答を備えることができる。またさらなる関連する態様では、ＳＩＰメッセージ肯定応答はフェムトＡＰのＳＤＰ情報を備えることができる。
【００８４】
装置７００は、ハンドオフメッセージ応答をＩＭＳエンティティ（たとえば、サービングＭＳＣ）に送信し、それによってフェムトＡＰへのＡＴのハンドオフが行われるための手段７７０を備えることができる。関連する態様では、サービングＭＳＣなどは、ハンドオフメッセージ応答を受信したことに応答して、ハンドオフコマンドをマクロ基地局に送信することができ、マクロ基地局はハンドオフ指示メッセージをＡＴに送信する。
【００８５】
装置７００がプロセッサとしてというよりむしろ通信ネットワークエンティティとして構成された場合、装置７００は少なくとも１つのプロセッサを有するプロセッサモジュール７１０を随意に含むことができることに留意されたい。そのような場合、プロセッサ７１０は、バス７１２または同様の通信結合を介して手段７２０〜７７０およびその構成要素と動作可能に通信することができる。プロセッサ７１０は、手段７２０〜７７０、ならびにその構成要素によって実行されるプロセスまたは機能の開始とスケジューリングとを実施することができる。
【００８６】
関連する態様では、装置７００は、たとえば、サービングＭＳＣ、Ｉ−ＣＳＣＦ、Ｐ−ＣＳＣＦ、Ｓ−ＣＳＣＦなど、他の通信ネットワークエンティティと通信するためのトランシーバモジュール７１４を含むことができる。トランシーバ７１４の代わりにまたはトランシーバ７１４とともに、スタンドアロン受信機および／またはスタンドアロン送信機を使用することができる。
【００８７】
さらなる関連する態様では、装置７００は、随意に、情報を記憶するための手段、たとえば、メモリデバイス／モジュール７１６などを含むことができる。コンピュータ可読媒体またはメモリデバイス／モジュール７１６は、バス７１２などを介して装置７００の他の構成要素に動作可能に結合できる。コンピュータ可読媒体またはメモリデバイス７１６は、手段７２０〜７７０、およびその構成要素、またはプロセッサ７１０のプロセスおよび動き、あるいは本明細書で開示する方法を実施するためのコンピュータ可読命令およびデータを格納するように適合できる。
【００８８】
またさらなる関連する態様では、メモリモジュール７１６は、随意に、（ａ）マクロ基地局と動作可能に通信するＩＭＳエンティティからハンドオフメッセージを受信することであって、ハンドオフメッセージがフェムト構成情報を備える、受信すること、（ｂ）フェムト構成情報に少なくとも部分的に基づいて複数のフェムトＡＰからフェムトＡＰを選択することであって、フェムト構成情報が選択されたフェムトＡＰの少なくとも１つのグローバル識別子を備える、選択すること、（ｃ）少なくとも１つのグローバル識別子に少なくとも部分的に基づいてフェムトＡＰのＳＩＰ  ＵＲＩを判断すること、（ｄ）ＳＩＰメッセージをフェムトＡＰに送信するためにＳＩＰ  ＵＲＩを使用すること、（ｅ）フェムトＡＰからＳＩＰメッセージ肯定応答を受信したことに応答して、フェムトＡＰのためのバックホールベアラを確立すること、および（ｆ）ハンドオフメッセージ応答をＩＭＳエンティティに送信し、フェムトＡＰへのＡＴのハンドオフが行われることをプロセッサモジュール７１０が行うための実行コードを含むことができる。
【００８９】
開示したプロセスにおけるステップの特定の順序または階層は、例示的な手法の一例であることを理解されたい。設計上の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【００９０】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００９１】
さらに、本明細書で開示される実施形態に関して説明した様々な例示的な論理ブロック、モジュール、回路、およびアルゴリズムステップを、電子ハードウェア、コンピュータソフトウェア、またはこの両方の組合せとして実装できることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００９２】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００９３】
本明細書で開示した例に関して説明した方法またはアルゴリズムは、直接ハードウェアで、プロセッサによって実行されるソフトウェアモジュールで、またはそれらの２つの組合せで実施できる。ソフトウェアモジュールは、ランダムアクセスメモリ（ＲＡＭ）、フラッシュメモリ、読取り専用メモリ（ＲＯＭ）、ＥＰＲＯＭ、電気的消去可能プログラマブル読取り専用メモリ（ＥＥＰＲＯＭ）、レジスタ、ハードディスク、リムーバブルディスク、ＣＤ−ＲＯＭ、または当技術分野で知られている任意の他の形態の記憶媒体中に常駐することができる。記憶媒体は、プロセッサがその記憶媒体から情報を読み取り、その記憶媒体に情報を書き込むことができるようにプロセッサに結合できる。代替として、記憶媒体はプロセッサと一体とすることができる。プロセッサおよび記憶媒体はＡＳＩＣ中に常駐することができる。
【００９４】
１つまたは複数の例示的な実施形態では、説明した機能は、ハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、ＤＳＬ、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００９５】
開示した実施形態の上記の説明は、当業者が本開示を実施または使用できるようにするために提供したものである。これらの実施形態への様々な修正は当業者には容易に明らかであり、本明細書で定義した一般原理は、本開示の趣旨または範囲から逸脱することなく他の実施形態に適用できる。したがって、本開示は、本明細書で示された実施形態に限定されるものではなく、本明細書で開示された原理および新規の特徴に従う全幅の範囲を与られるべきである。
【図１】
0005280540.tif 000002
【図２】
0005280540.tif 000003
【図３Ａ】
0005280540.tif 000004
【図３Ｂ】
0005280540.tif 000005
【図３Ｃ】
0005280540.tif 000006
【図４】
0005280540.tif 000007
【図５】
0005280540.tif 000008
【図６Ａ】
0005280540.tif 000009
【図６Ｂ】
0005280540.tif 000010
【図７】
0005280540.tif 000011